(57)【要約】【課題】  ユーザに対して、画像処理装置においてユーザが望むと考えられる機能を予測して提示することのできる画像処理装置、画像処理装置の制御方法、および、画像処理装置の制御プログラムを提供する。【解決手段】  アウェイＭＦＰのログインユーザが、ホームＭＦＰにおいてＰＤＦフォーマットを利用していた場合であって、ホームＭＦＰがコンパクトＰＤＦ変換の機能を持たず、かつ、アウェイＭＦＰがコンパクトＰＤＦ変換の機能を持つ場合、ログインユーザがアウェイＭＦＰを利用する際には、コンパクトＰＤＦ変換という機能を利用するプログラムキー（コンパクトＰＤＦ）が、自動的に生成され、プログラムキー表示部５１１に表示される。【選択図】        図１６
2006352205.tif 000002
【特許請求の範囲】
【請求項１】
ネットワークを介して他の画像処理装置に接続された画像処理装置であって、
情報を表示する表示部と、
ユーザの認証を行なうユーザ認証部と、
前記ユーザ認証部で認証したユーザが前記他の画像処理装置において利用した機能の履歴を取得する履歴情報取得部と、
前記履歴情報取得部の取得した履歴が所定の条件を満たしているか否かを判断する判断部と、
前記判断部が前記所定の条件を満たしていると判断した場合に、前記所定の条件に対応した組合せの機能設定を実現させるための操作部を前記表示部に表示させる表示制御部とを含む、画像処理装置。
【請求項２】
前記表示制御部は、前記所定の条件が成立している場合であって、前記所定の条件に対応した組合せの機能設定が前記画像処理装置では実現できるが前記他の画像処理装置では実現できない場合に、前記操作部を前記表示部に表示させる、請求項１に記載の画像処理装置。
【請求項３】
前記所定の条件とは、同一文書を所定時間内に異なる宛先に複数送信する履歴であり、
前記所定の条件に対応した組合せの機能設定とは、同報送信に関する機能設定である、請求項１または請求項２に記載に記載の画像処理装置。
【請求項４】
前記所定の条件とは、ファイルを圧縮する機能を利用する履歴であり、
前記所定の条件に対応した組合せの機能設定とは、画像ファイルを、当該画像ファイルに含まれる画像の種類に応じた形式で圧縮する機能に関する機能設定である、請求項１または請求項２に記載の画像処理装置。
【請求項５】
ネットワークを介して他の画像処理装置に接続された画像処理装置の制御方法であって、
ユーザの認証を行なうステップと、
前記認証したユーザが前記他の画像処理装置において利用した機能の履歴を取得するステップと、
前記取得した履歴が所定の条件を満たしているか否かを判断するステップと、
前記取得した履歴が前記所定の条件を満たしていると判断した場合に、前記所定の条件に対応した組合せの機能設定を実現させるための操作部を表示させるステップとを含む、画像処理装置の制御方法。
【請求項６】
ネットワークを介して他の画像処理装置に接続された画像処理装置を制御するためのプログラムであって、前記画像処理装置に、
ユーザの認証を行なうステップと、
前記認証したユーザが前記他の画像処理装置において利用した機能の履歴を取得するステップと、
前記取得した履歴が所定の条件を満たしているか否かを判断するステップと、
前記取得した履歴が前記所定の条件を満たしていると判断した場合に、前記所定の条件に対応した組合せの機能設定を実現させるための操作部を表示させるステップとを実行させる、画像処理装置の制御プログラム。
【発明の詳細な説明】
【技術分野】
【０００１】
本発明は、画像処理装置、画像処理装置の制御方法、および、画像処理装置の制御プログラムに関し、特に、ユーザによって操作されることによって動作する画像処理装置、画像処理装置の制御方法、および、画像処理装置の制御プログラムに関する。
【背景技術】
【０００２】
従来から、ユーザの操作に基づいて画像の入出力動作を実行する画像処理装置において、利便性を高めるための技術が種々開示されてきた。
【０００３】
たとえば、特許文献１では、画像形成装置において、コピー開始のタイミングで、そのときの画像濃度、倍率、用紙サイズ、両面モード設定、あるいは、マージンシフトや枠消し等の画像加工モードによる機能設定の組み合わせ状態に対応する使用頻度カウントデータをカウントアップし、そして、使用頻度が所定のレベルに達すると、その機能設定の組み合わせをプログラムとして登録する技術が開示されている。
【０００４】
また、特許文献２では、ＬＡＮ（Local Area Network）を介して接続される複数の端末から構成される通信システムにおいて、サーバに個人ごとのワンタッチダイヤルに関する設定を登録しておくことにより、当該システムにログインすることにより、当該システム内のすべての装置において登録されたワンタッチダイヤルを利用できる技術が開示されている。
【０００５】
また、特許文献３では、ネットワークシステムにおいて、当該システム内のデバイスに新規な機能が追加された場合、第１サーバがそれを自動的に検知して新機能の使用に必要なプログラムの機能部品を第２サーバからダウンロードし、そして、当該システム内の必要な構成部にインストールすることにより、新規機能を使用可能にする環境を設定する技術が開示されている。
【特許文献１】特開２００４−２３４１９５号公報
【特許文献２】特開２００４−１４０６０７号公報
【特許文献３】特開２００４−５４７３９号公報
【発明の開示】
【発明が解決しようとする課題】
【０００６】
上記したように、従来、ユーザが今まである装置で使っていた機能のその装置での使い勝手をよくしたり、ネットワーク内で機能を使用する際の情報を共有することにより、ネットワーク内のどの装置からでも当該情報をそのまま利用して利便性を高めたり、ユーザが新規の機能を利用できるための設定を自動で行なったりする技術については、種々開示されている。
【０００７】
しかしながら、ユーザが認識する機能以上の機能を提示する技術、つまり、ユーザに対して一歩進んだ機能を提示するような技術については、開示されていなかった。そして、このような技術は、ユーザに対して装置の利便性を提供するにあたり、常に求められるものである。
【０００８】
本発明は、かかる実情に鑑み考え出されたものであり、その目的は、ユーザに対して、画像処理装置においてユーザが望むと考えられる機能を予測して提示することのできる画像処理装置、画像処理装置の制御方法、および、画像処理装置の制御プログラムを提供することである。
【課題を解決するための手段】
【０００９】
本発明に従った画像処理装置は、ネットワークを介して他の画像処理装置に接続された画像処理装置であって、情報を表示する表示部と、ユーザの認証を行なうユーザ認証部と、前記ユーザ認証部で認証したユーザが前記他の画像処理装置において利用した機能の履歴を取得する履歴情報取得部と、前記履歴情報取得部の取得した履歴が所定の条件を満たしているか否かを判断する判断部と、前記判断部が前記所定の条件を満たしていると判断した場合に、前記所定の条件に対応した組合せの機能設定を実現させるための操作部を前記表示部に表示させる表示制御部とを含むことを特徴とする。
【００１０】
また、本発明に従った画像処理装置では、前記表示制御部は、前記所定の条件が成立している場合であって、前記所定の条件に対応した組合せの機能設定が前記画像処理装置では実現できるが前記他の画像処理装置では実現できない場合に、前記操作部を前記表示部に表示させることが好ましい。
【００１１】
また、本発明に従った画像処理装置では、前記所定の条件とは、同一文書を所定時間内に異なる宛先に複数送信する履歴であり、前記所定の条件に対応した組合せの機能設定とは、同報送信に関する機能設定であることが好ましい。
【００１２】
また、本発明に従った画像処理装置では、前記所定の条件とは、ファイルを圧縮する機能を利用する履歴であり、前記所定の条件に対応した組合せの機能設定とは、画像ファイルを、当該画像ファイルに含まれる画像の種類に応じた形式で圧縮する機能に関する機能設定であることが好ましい。
【００１３】
本発明に従った画像処理装置の制御方法は、ネットワークを介して他の画像処理装置に接続された画像処理装置の制御方法であって、ユーザの認証を行なうステップと、前記認証したユーザが前記他の画像処理装置において利用した機能の履歴を取得するステップと、前記取得した履歴が所定の条件を満たしているか否かを判断するステップと、前記取得した履歴が前記所定の条件を満たしていると判断した場合に、前記所定の条件に対応した組合せの機能設定を実現させるための操作部を表示させるステップとを含むことを特徴とする。
【００１４】
本発明に従った画像処理装置の制御プログラムは、ネットワークを介して他の画像処理装置に接続された画像処理装置を制御するためのプログラムであって、前記画像処理装置に、ユーザの認証を行なうステップと、前記認証したユーザが前記他の画像処理装置において利用した機能の履歴を取得するステップと、前記取得した履歴が所定の条件を満たしているか否かを判断するステップと、前記取得した履歴が前記所定の条件を満たしていると判断した場合に、前記所定の条件に対応した組合せの機能設定を実現させるための操作部を表示させるステップとを実行させることを特徴とする。
【発明の効果】
【００１５】
本発明によれば、或る画像処理装置にユーザがログインした場合、当該ユーザの他の画像処理装置において利用した機能の履歴に対応した機能設定を実現させるための操作部を、表示することができる。
【００１６】
これにより、ユーザに対し、当該ユーザが望むと考えられる機能を、当該ユーザが他の画像処理装置で利用した機能に基づいて予測して、操作部の表示という形で提示することができる。
【発明を実施するための最良の形態】
【００１７】
図１は、本発明の画像処理装置の一実施の形態であるＭＦＰ（Multi Function Peripherals）を含む、画像処理システムの構成を示す図である。
【００１８】
図１を参照して、画像処理システムは、ネットワークに接続されるＭＦＰ１００Ａ，１００Ｂと、同じくネットワークに接続されるサーバ２００と、同じネットワークに接続されるＰＣ（パーソナルコンピュータ）３００とを備えている。ネットワークはインターネットＮＷに接続されているため、ＭＦＰ１００Ａ，１００Ｂ、サーバ２００、および、ＰＣ３００は、インターネットＮＷを介して外部機器とアクセスすることができる。また、ＭＦＰ１００Ａ，１００Ｂは、ファクシミリ送信などのために、ＰＳＴＮ（Public Switched Telephone Network；公衆通信ネットワーク）網などの回線に接続することが可能である。なお、ネットワークに接続されるＭＦＰの数は、図１に示されたものに限定されない。
【００１９】
ＰＣ３００は、通信可能な一般的な情報端末が備える構成を備えている。
図２は、図１のサーバ２００のハードウェア構成を示す図である。
【００２０】
図２を参照して、サーバ２００は、当該サーバ２００全体の制御を行なうＣＰＵ（Central Processing Unit）２０１と、データを一時的に記憶するＲＡＭ（Random Access Memory）２０３と、プログラムや定数などを記憶するＲＯＭ（Read Only Memory）２０５と、プログラムや定数などを書き換え可能に記憶するハードディスク２０７と、ユーザからの情報の入力を受付ける入力部２０９と、情報を表示する表示部２１１と、ネットワークやＰＳＴＮ網に接続するためのネットワークＩ／Ｆ（インターフェイス）２１３と、各ユーザのユーザＩＤとパスワードとを関連付けて記憶するとともに各ユーザの認証を行なうユーザ認証部２１５と、サーバ２００に対して着脱可能な記録媒体であるフレキシブルディスクやＣＤ−ＲＯＭ（Compact Disk Read Only Memory）に対して情報の読取りおよび書込みを行なうメディアドライブ２１７を含む。
【００２１】
図３（Ａ）は、図１のＭＦＰ１００Ａのハードウェア構成を示す図である。
図３（Ａ）を参照して、ＭＦＰ１００Ａは、当該ＭＦＰ１００全体の制御を行なうＣＰＵ１０１と、データを一時的に記憶するＲＡＭ１０３と、プログラムや定数などを記憶するＲＯＭ１０５と、ＭＦＰ１００Ａに登録されたジョブのデータなどを記憶する記憶部１０７と、ＭＦＰ１００Ａに対して着脱可能な記録媒体であるフレキシブルディスクやＣＤ−ＲＯＭ（Compact Disk Read Only Memory）に対して情報の読取りおよび書込みを行なうメディアドライブ１０９と、操作パネル１１１と、原稿の画像を読取ることによって画像データを生成するスキャナ１１３と、用紙に対して画像データのプリントを行なうプリンタ１１５と、ネットワークやＰＳＴＮ網に接続するための通信部１１７を含む。
【００２２】
操作パネル１１１は、ユーザに対してＭＦＰ１００Ａの状態やコマンドの選択肢を表示するための表示画面（後述する表示パネル５０８）と、ユーザからの情報の入力を受付けるための入力キーとを備えている。なお、表示画面と入力キーは、液晶ディスプレイとその上に載置されるタッチパネルとで構成することも可能である。
【００２３】
そして、ＭＦＰ１００Ａは、操作パネル１１１に表示させるキーの内容を記憶するプログラムキー登録部１２１と、ＭＦＰ１００Ａにおいて実行されたジョブについての設定の内容を記憶するジョブ履歴記憶部１２３と、ＭＦＰ１００Ａに備えられているデバイスに関する情報を記憶するデバイスプロファイル記憶部１２５と、操作パネル１１１に表示させるキーの内容を制御する操作制御部１３０をさらに含む。
【００２４】
プログラムキー登録部１２１は、ユーザごとの、操作パネル１１１に表示させるキーの内容を記憶するものであり、具体的には、プログラムキー情報として、ＭＦＰの動作に関する設定内容と、当該設定内容に対する名称とを関連付けて記憶している。ＭＦＰでは、表示パネル（後述する表示パネル５０８）において、予め設定された数を上限として、プログラムキーを表示させることができる。プログラムキーとは、上記したプログラムキー情報における設定内容の名称に基づいたキーであり、操作されることによってＭＦＰにおいて当該名称に対応した設定内容を簡単に設定できるものである。
【００２５】
図３（Ｂ）に、操作制御部１３０の詳細な構成を示す。
操作制御部１３０は、自機のデバイスプロファイル記憶部１２５と他のＭＦＰ（本実施の形態であればＭＦＰ１００Ｂ）のデバイスプロファイル記憶部１２５との記憶内容を比較する機能比較部１３１と、他のＭＦＰのジョブ履歴記憶部１２３の記憶内容に基づいて他機で利用された機能についての解析を行なうジョブ履歴解析部１３２と、他のＭＦＰの操作パネル１１１に表示されるプログラムキー情報を解析するプログラムキー解析部１３３を含む。
【００２６】
本実施の形態では、ＭＦＰ１００Ｂは、図３（Ａ）および図３（Ｂ）を用いて説明したＭＦＰ１００Ａと同様の構成を備えるものとする。
【００２７】
本実施の形態では、ＭＦＰ１００Ａを頻繁に利用するユーザがＭＦＰ１００Ｂを利用する際に、ＭＦＰ１００Ｂにおいて、ユーザの利便性を向上させるための処理が実行される。なお、以下の本明細書では、ユーザが頻繁に利用するＭＦＰと言う意味でＭＦＰ１００Ａを「ホームＭＦＰ」と呼び、これに対し、ＭＦＰ１００Ｂを「アウェイＭＦＰ」と呼ぶ。
【００２８】
表１に、ホームＭＦＰ（ＭＦＰ１００Ａ）のジョブ履歴記憶部１２３に記憶されるジョブ履歴の一例を示す。
【００２９】
【表１】
2006352205.tif 000003
【００３０】
ジョブ履歴は、ホームＭＦＰにおいて実行されたジョブの履歴である。具体的には、ジョブ履歴は、表１から理解されるように、ホームＭＦＰにおいて実行されたジョブの通し番号である履歴番号と、ジョブを入力したユーザのユーザ名と、ジョブが実行された日付および時刻と、ジョブが実行される際に利用されたアプリケーションの名称（アプリ）と、ジョブが実行された際のモードと、ジョブの対象となったドキュメントの名称（ドキュメント名）と、ジョブが送信された場合の宛先となったユーザ名（宛先）と、ジョブにおいてファイルが生成された際のそのフォーマットと、ジョブにおける詳細な設定情報を含んだその他のモード情報とを含む。
【００３１】
ＭＦＰ１００ＡおよびＭＦＰ１００Ｂでは、スキャナ１１３およびプリンタ１１５等のデバイスを利用して、コピー、プリント、スキャン、ＢＯＸ蓄積、および、ＢＯＸ送信という動作が可能である。そして、ジョブ履歴中のアプリの欄には、これらの動作のいずれかが格納されている。
【００３２】
また、ＭＦＰ１００ＡおよびＭＦＰ１００Ｂでは、各動作（アプリ）に対して、種々のモードの設定が可能である。
【００３３】
たとえば、「コピー」のモードとしては、印刷用紙の両面に出力するか片面に出力するかに関する、両面および片面が挙げられる。
【００３４】
また、「プリント」のモードとしては、ネットワークを介してＰＣ３００から入力されたデータを印刷用紙の両面に出力するか片面に出力するかに関する、両面および片面が挙げられる。
【００３５】
また、「スキャン」のモードとしては、スキャナ１１３の生成したファイルを、ネットワークを介してＰＣ３００に送信するかインターネットＮＷを介してＥ−ｍａｉｌとして送信するかに関する、ＰＣおよびＥ−ｍａｉｌが挙げられる。さらに、スキャンについては、スキャナ１１３の生成したファイルにおける解像度が、その他のモード情報として格納される。
【００３６】
また、「ＢＯＸ送信」としては、モードとして、ＰＣおよびＥ−ｍａｉｌの他に、ファクシミリでの送信を意味するＦＡＸが挙げられる。
【００３７】
なお、「ＢＯＸ蓄積」については、生成されたファイルがＭＦＰ１００Ａまたは１００Ｂの内部に蓄積されるため、モードについての情報は格納されず、そして、宛先として、生成されたファイルが格納された場所（フォルダ等）を特定する情報が格納される。
【００３８】
表２に、ホームＭＦＰ（ＭＦＰ１００Ａ）のデバイスプロファイル記憶部１２５に格納されたデバイスプロファイルの一例を示す。
【００３９】
【表２】
2006352205.tif 000004
【００４０】
また、表３に、アウェイＭＦＰ（ＭＦＰ１００Ｂ）のデバイスプロファイル記憶部１２５に格納されたデバイスプロファイルの一例を示す。
【００４１】
【表３】
2006352205.tif 000005
【００４２】
表２および表３を参照して、デバイスプロファイルには、分類としてＭＦＰにおけるアプリケーションの種類が格納され、機能名として各アプリケーションに関する機能が格納され、機能コードとして各機能を特定するコードが格納され、そして、各ＭＦＰにおける搭載の有無が○または×で示されている。機能名および機能コードは、ＭＦＰ間で共通している。
【００４３】
たとえば、コピーに関しては、「ＯＨＰ合紙」（ＯＨＰ（Over Head Projector）フィルムにコピーする時、ＯＨＰフィルムの間にペーパを挿入する機能）、電子ソート（出力する用紙をソートする機能）、ブックレット（複数の原稿を中綴じ（中折り）のページ立ての両面コピーに仕上げる機能）、および、混載原稿（異なるサイズが混じった原稿を、原稿自動送り装置にセットしても、原稿ごとに原稿サイズを検知して適正なコピー用紙にコピーする機能）の機能が例示されており、これらのそれぞれに対して、１００１，１００２，１００３，１００４の機能コードが割り当てられている。そして、これらの機能は、ホームＭＦＰおよびアウェイＭＦＰの双方に搭載されている。
【００４４】
また、スキャン／ＢＯＸ送信に関しては、ＰＤＦ変換（スキャナ１１３で画像を読取ることによって生成したファイルをＰＤＦ（Portable Document Format）ファイルに変換する機能）、コンパクトＰＤＦ変換（スキャナ１１３で画像を読取ることによって生成したファイルを、含まれる画像の種類によって最適な方式で圧縮してファイルサイズをよりコンパクトにしたＰＤＦファイルに変換する機能）、同報送信（同じドキュメントを異なる送信先に一度に送信する機能）、および、Ｓｃａｎ  ｔｏ  ＳＭＢ（スキャナ１１３で画像を読取ることによって生成したファイルをＰＣ３００内の共有フォルダ内に送信する機能）が例示されており、これらのそれぞれに対して、２００１，２００２，２００３，２００４の機能コードが割り当てられている。これらの機能のうち、ＰＤＦ変換に関しては、ホームＭＦＰおよびアウェイＭＦＰに搭載されているが、コンパクトＰＤＦ変換、同報送信、および、Ｓｃａｎ  ｔｏ  ＳＭＢについては、ホームＭＦＰには搭載されておらず、アウェイＭＦＰのみに搭載されている。
【００４５】
次に、ＭＦＰ１００Ｂの一般的な動作を説明する。図４は、ＭＦＰ１００ＢのＣＰＵ１０１のメインルーチンのフローチャートである。
【００４６】
図４を参照して、ＭＦＰ１００Ｂに電源が投入されると、ＣＰＵ１０１は、まずステップＳ１０で、初期設定を行なう。これにより、操作パネル１１１の表示パネル５０８では、図５（Ａ）に示されるような表示が行なわれる。
【００４７】
図５（Ａ）を参照して、操作パネル１１１には、複写（コピー）等の動作の開始を指示するためのスタートキー５０５、コピー枚数等の入力用のテンキー５０９、コピーのアプリケーションを起動させるためのコピーキー５０１、スキャンのアプリケーションを起動させるためのスキャンキー５０２、ファックスのアプリケーションを起動さえるためのファックスキー５０３、ユーザ認証を行なうための認証キー５０４、および、表示パネル５０８を備えている。
【００４８】
表示パネル５０８は、液晶パネルからなり、表面にタッチパネルが積層されており、ユーザからのタッチ入力を受付けると共に、コピー枚数やＭＦＰの状態を示すメッセージを表示させる。そして、図５（Ａ）では、メッセージとして「認証キーを押してください。」が表示されている。
【００４９】
この表示に対して認証キー５０４が操作されるとステップＳ２０に処理が進められる。
なお、認証キー５０４が操作されると、操作パネル５０８の表示は、図５（Ｂ）に示されたものに切り替えられる。
【００５０】
図５（Ｂ）を参照して、表示パネル５０８には、ユーザ名を入力するための入力欄５０６およびパスワードを入力するための入力欄５０７が表示されている。さらに、表示パネル５０８には、ユーザ名を入力するためのキーボードが表示されている。この表示に基づいて、ユーザは、入力欄５０６，５０７に、ユーザ名およびパスワードを入力する。
【００５１】
ステップＳ２０では、ＣＰＵ１０１は、ユーザ認証処理を行なう。この処理について、図６にサブルーチンを示し、その内容を説明する。
【００５２】
図６を参照して、ユーザ認証処理では、ＣＰＵ１０１は、まずステップＳ２１０で、入力欄５０６，５０７に入力されたユーザ名（ユーザＩＤ）およびパスワードを読取る。そして、ＣＰＵ１０１は、ステップＳ２２０で、認証の開始が指示されたと判断するとステップＳ２３０に処理を進める。ＣＰＵ１０１は、たとえば認証キー５０４を操作されることによって、認証の開始が指示されたと判断する。
【００５３】
そして、ステップＳ２３０では、ＣＰＵ１０１は、入力欄５０６，６０７に入力されたユーザ名およびパスワードをサーバ２００に送信し、そして、ステップＳ２４０で、サーバ２００からユーザ認証が成立したか否かの回答を受信して、処理をリターンさせる。
【００５４】
なお、サーバ２００は、ユーザ名およびパスワードを受信すると、ユーザ認証部２１５に格納されたユーザ名とパスワードとを参照することにより、受信したパスワードが受信したユーザ名に対応するものであるかを判断する。そして、対応するものであると判断すれば認証が成立したという回答をＭＦＰに送信し、対応するものではないと判断すると認証が成立しないという回答をＭＦＰに送信する。
【００５５】
再度図４を参照して、ステップＳ３０で、ＣＰＵ１０１は、サーバ２００からの回答の内容を判断する。具体的には、回答の内容が、認証が成立するというものであるとステップＳ４０へ処理を進め、また、認証が成立しないというものであるとステップＳ２０に処理を戻す。
【００５６】
ステップＳ４０では、ＣＰＵ１０１は、ログイン処理を行なう。これにより、入力欄５６にユーザ名を入力されたユーザが、ログインユーザとなる。
【００５７】
次に、ＣＰＵ１０１は、ステップＳ５０で、ホームＭＦＰ通信処理を実行する。この処理については、図７にサブルーチンを示し、詳細に説明する。
【００５８】
図７を参照して、ホームＭＦＰ通信処理では、ＣＰＵ１０１は、まずステップＳ５１０で、現在ユーザがログインしているＭＦＰが、当該ユーザにとってアウェイＭＦＰであるか否かを判断する。なお、各ユーザに対してネットワーク中のどのＭＦＰがホームＭＦＰであり、どのＭＦＰがアウェイＭＦＰであるかという情報は、サーバ２００に格納されている。ＣＰＵ１０１は、たとえば、このような情報を、ユーザ認証処理の際に、サーバ２００から受信する。そして、自機がアウェイＭＦＰであると判断するとステップＳ５２０に処理を進め、ホームＭＦＰであると判断するとそのまま処理をリターンさせる。たとえば、ＭＦＰ１００ＡをホームＭＦＰとするユーザがＭＦＰ１００Ｂにログインした場合、ＭＦＰ１００Ｂは、自機が、ログインユーザに対してアウェイＭＦＰであると判断する。
【００５９】
ステップＳ５２０では、ＣＰＵ１０１は、画像処理システム内のホームＭＦＰに対して当該ジョブ履歴およびデバイスプロファイルの送信を要求し、また、応答があるかどうかを判断する。そして、応答があったと判断するとステップＳ５３０へ処理を進め、応答がないと判断するとそのまま処理をリターンさせる。
【００６０】
ステップＳ５３０では、ＣＰＵ１０１は、ホームＭＦＰから、ログインユーザに関する、プログラムキー情報、ジョブ履歴、および、デバイスプロファイルを受信（取得）して、処理をリターンさせる。ここで、ログインユーザに関するプログラムキー情報を受信することにより、当該情報を、プログラムキー登録部１２１に格納する。
【００６１】
再度図４を参照して、ステップＳ６０では、ステップＳ５０でホームＭＦＰからの情報の取得（ステップＳ５３０）が成功したか否かを判断し、成功したと判断するとステップＳ７０へ、成功していないと判断するとステップＳ８０へ、それぞれ処理を進める。なお、自機がホームＭＦＰである場合にも、ＣＰＵ１０１はステップＳ８０へ処理を進める。
【００６２】
ステップＳ８０では、ＣＰＵ１０１は、ユーザからの操作に応じた処理を実行し、ステップＳ９０に処理を進める。
【００６３】
ステップＳ９０では、ＣＰＵ１０１は、ログインユーザから、操作パネル１１１を適宜操作されることによって、ログアウトの要求がなされたか否かを判断する。そして、ＣＰＵ１０１は、そのような要求がなかったと判断するとステップＳ８０に処理を戻す。一方、ＣＰＵ１０１は、そのような要求があったと判断すると、ステップＳ１００でログアウトの処理をして、ステップＳ２０に処理を戻し、新たなユーザがログインの要求をするのを待つ。
【００６４】
一方、ステップＳ７０では、ＣＰＵ１０１は、プログラム生成処理を実行した後、ステップＳ８０に処理を進める。ここで、プログラム生成処理について、図８および図９にサブルーチンのフローチャートを示し、これを参照してその処理内容を詳細に説明する。
【００６５】
図８を参照して、プログラム生成処理では、ＣＰＵ１０１は、まずステップＳ７０１で、自機がアウェイＭＦＰであるか否かを判断し、そうであると判断すればステップＳ７０３へ、そうでないと判断すればステップＳ７３５へ、それぞれ処理を進める。
【００６６】
ステップＳ７３５では、ＣＰＵ１０１は、表示パネル５０８にログインユーザに関連付けて予め登録されているユーザ・プログラムキーを表示させて、処理をリターンさせる。
【００６７】
一方、ステップＳ７０３では、ＣＰＵ１０１は、ジョブ履歴解析部１３２を適宜駆動することによって、ステップＳ５３０（図７参照）で取得したホームＭＦＰのジョブ履歴を解析する。ここで、ホームＭＦＰのジョブ履歴を解析する処理の内容について、図１０および図１１にサブルーチンのフローチャートを示し、これを参照してその処理内容を詳細に説明する。
【００６８】
ホームＭＦＰのジョブ履歴の解析処理では、ＣＰＵ１０１は、まずステップＳ７０３１で、ホームＭＦＰのジョブ履歴において、ユーザの欄に現在のログインユーザのユーザ名が記載されているジョブを抽出し、さらに、その中で蓄積文書の送信履歴を検索する。
【００６９】
次に、ステップＳ７０３２で、ＣＰＵ１０１は、ステップＳ７０３１の検索の結果、ログインユーザが、同一文書（同一の名称のドキュメント）を異なる複数の宛先に送信しているか否かを判断し、送信していると判断するとステップＳ７０３３へ、送信していないと判断するとステップＳ７０３５へ、それそれ処理を進める。
【００７０】
なお、同一文書かどうかは、ドキュメントの名称の他に、ドキュメントの画像比較を行なったり、または、原稿に埋め込まれているコード情報の比較によっても、判断できる。
【００７１】
ステップＳ７０３３では、ＣＰＵ１０１は、ステップＳ７０３２でチェックした同一文書の複数の宛先への送信が所定時間内に行なわれているか否かを判断する。そして、所定時間内に行なわれていると判断するとステップＳ７０３４で条件１が成立している旨の設定（たとえばフラグを立てる等）を行なった後処理をステップＳ７０３５へ進める。一方、所定時間内に行なわれていないと判断するとそのままステップＳ７０３５へ処理を進める。
【００７２】
ステップＳ７０３５では、ＣＰＵ１０１は、ホームＭＦＰのジョブ履歴において、現在のログインユーザのジョブ履歴の中の、アプリケーションが「スキャン」であるものを抽出する。
【００７３】
そして、ステップＳ７０３６で、ＣＰＵ１０１は、ステップＳ７０３５で抽出したファイルの生成に関するジョブ履歴の中にＰＤＦフォーマットが使用されているものがあるか否かを判断し、そして、あると判断するとステップＳ７０３７へ処理を進め、ないと判断するとステップＳ７０４１へ処理を進める。
【００７４】
ステップＳ７０３７では、ＣＰＵ１０１は、ステップＳ７０３５で抽出したファイルの生成に関するジョブ履歴の中に、低解像度でスキャンされているものがあるか否かを判断する。ここで、低解像度とは、たとえば表１に示されたように、ＭＦＰ１００Ａが６００ｄｐｉと２００ｄｐｉという異なる２種類の解像度でのスキャンが可能であるとすれば、その低い方の解像度を言う。そして、ＣＰＵ１０１は、そのような履歴があると判断するとステップＳ７０３８で条件２が成立している旨の設定（たとえばフラグを立てる等）を行なった後ステップＳ７０４１へ処理を進める。一方、そのような履歴がないと判断するとそのままステップＳ７０４１へ処理を進める。
【００７５】
図１１を参照して、ステップＳ７０４１では、ＣＰＵ１０１は、ホームＭＦＰのジョブ履歴において、現在のログインユーザのジョブ履歴の中の、アプリケーションが「プリント」であるものを抽出する。
【００７６】
次に、ＣＰＵ１０１は、ステップＳ７０４２で、同一文書（同一の名称のドキュメント）について、プリントされた履歴とボックス蓄積された履歴があるかどうかを判断する。そして、あると判断するとステップＳ７０４３へ、無いと判断するとステップＳ７０３９へ、それぞれ処理を進める。
【００７７】
ステップＳ７０４３では、ステップＳ７０４２でチェックした同一文書につてのプリントとボックス蓄積が所定時間内に実施されたか否かを判断する。そして、ＣＰＵ１０１は、所定時間内に実施されたと判断するとステップＳ７０４４で条件３が成立している旨の設定（たとえばフラグを立てる等）を行なった後処理をリターンさせる。一方、所定時間内に実施されていないと判断するとそのままステップＳ７０３９へ処理を進める。
【００７８】
ステップＳ７０３９では、プログラムキー解析部１３３に、ホームＭＦＰのプログラムキー登録部１２１における登録内容を検索させる。そして、ステップＳ７０４０で、ログインユーザのプログラムキー情報において、ＰＤＦフォーマットを利用した動作が少なくとも一つは登録されているかどうかを判断し、登録されていると判断するとステップＳ７０３８へ処理を進め、登録されていないと判断するとそのまま処理をリターンさせる。
【００７９】
再度図８を参照して、ステップＳ７０３でホームＭＦＰのジョブ履歴を解析した後、ＣＰＵ１０１は、ステップＳ７０５で、ジョブ履歴において条件１が成立しているか否かを判断する。そして、成立していると判断するとステップＳ７０７へ、成立していないと判断するとステップＳ７１３へ、それぞれ処理を進める。
【００８０】
ステップＳ７０７では、ＣＰＵ１０１は、デバイスプロファイル比較１の処理を実行する。なお、ＣＰＵ１０１は、機能比較部１３１を適宜駆動することによって、デバイスプロファイル比較１の処理を実行する。この処理について、図１２にサブルーチンを示し、その内容を説明する。
【００８１】
図１２を参照して、デバイスプロファイル比較１の処理では、ＣＰＵ１０１は、まずステップＳ７０７１で、ホームＭＦＰ（ＭＦＰ１００Ａ）のデバイスプロファイルを抽出する。
【００８２】
次に、ＣＰＵ１０１は、ステップＳ７０７２で、アウェイＭＦＰ（自機：ＭＦＰ１００Ｂ）のデバイスプロファイルを抽出する。
【００８３】
次に、ＣＰＵ１０１は、ステップＳ７０７３で、機能コード２００３（同報送信：表２および表３参照）の機能の搭載の有無を比較する。
【００８４】
そして、ステップＳ７０７４で、ＣＰＵ１０１は、ステップＳ７０７３における比較の結果、機能コード２００３で特定される機能がホームＭＦＰに搭載されておらず、かつ、アウェイＭＦＰに搭載されているかどうかを判断する。そして、このような場合には、ＣＰＵ１０１は、ステップＳ７０７５に処理を進める。一方、いずれにも搭載されていないか、いずれにも搭載されているか、または、ホームＭＦＰには搭載されているがアウェイＭＦＰには搭載されていない場合には、ＣＰＵ１０１は、ステップＳ７０７６に処理を進める。
【００８５】
ステップＳ７０７５では、ＣＰＵ１０１は、同報送信についてのプログラムキーを生成可能であるという判定を行ない、処理をリターンさせる。判定を行なうとは、具体的には、たとえば対応するフラグを立てる等の処理が考えられる。
【００８６】
一方、ステップＳ７０７６では、ＣＰＵ１０１は、同報送信についてのプログラムキーの生成が不可である判定を行なって、処理をリターンさせる。
【００８７】
再度図８を参照して、ステップＳ７０７でのデバイスプロファイル比較１処理の後、ＣＰＵ１０１は、ステップＳ７０９で、デバイスプロファイル比較１処理においてプログラムキーの生成が可能であるか不可であるかを判断し、可能であると判断するとステップＳ７１１へ、不可であると判断するとステップＳ７１３へ、それぞれ処理を進める。
【００８８】
ステップＳ７１１では、ＣＰＵ１０１は、プログラムキー生成部１３４を適宜駆動することによって、条件１のプログラムキー（同報送信についてのプログラムキー）を生成し、自機のプログラムキー登録部１２１に登録して、ステップＳ７１３に処理を進める。
【００８９】
ステップＳ７１３では、ＣＰＵ１０１は、ジョブ履歴の解析の結果ジョブ履歴において条件２が成立しているか否かを判断する。そして、成立していると判断するとステップＳ７１５へ、成立していないと判断するとステップＳ７２１へ、それぞれ処理を進める。
【００９０】
ステップＳ７１５では、ＣＰＵ１０１は、デバイスプロファイル比較２の処理を実行する。なお、ＣＰＵ１０１は、機能比較部１３１を適宜駆動することによって、デバイスプロファイル比較２の処理を実行する。この処理について、図１３にサブルーチンを示し、その内容を説明する。
【００９１】
図１３を参照して、デバイスプロファイル比較２の処理では、ＣＰＵ１０１は、まずステップＳ７１５１で、ホームＭＦＰ（ＭＦＰ１００Ａ）のデバイスプロファイルを抽出する。
【００９２】
次に、ＣＰＵ１０１は、ステップＳ７１５２で、アウェイＭＦＰ（自機：ＭＦＰ１００Ｂ）のデバイスプロファイルを抽出する。
【００９３】
次に、ＣＰＵ１０１は、ステップＳ７１５３で、機能コード２００２（コンパクトＰＤＦ変換：表２および表３参照）の機能の搭載の有無を比較する。
【００９４】
そして、ステップＳ７１５４で、ＣＰＵ１０１は、ステップＳ７１５３における比較の結果、機能コード２００２で特定される機能がホームＭＦＰに搭載されておらず、かつ、アウェイＭＦＰに搭載されているかどうかを判断する。そして、このような場合には、ＣＰＵ１０１は、ステップＳ７１５５に処理を進める。一方、いずれにも搭載されていないか、いずれにも搭載されているか、または、ホームＭＦＰには搭載されているがアウェイＭＦＰには搭載されていない場合には、ＣＰＵ１０１は、ステップＳ７１５６に処理を進める。
【００９５】
ステップＳ７１５５では、ＣＰＵ１０１は、コンパクトＰＤＦ変換のプログラムキーを生成可能であるという判定を行ない、処理をリターンさせる。
【００９６】
一方、ステップＳ７０７６では、ＣＰＵ１０１は、コンパクトＰＤＦ変換のプログラムキーの生成が不可である判定を行なって、処理をリターンさせる。
【００９７】
再度図８を参照して、ステップＳ７１５でのデバイスプロファイル比較２処理の後、ＣＰＵ１０１は、ステップＳ７１７で、デバイスプロファイル比較２処理においてプログラムキーの生成が可能であるか不可であるかを判断し、可能であると判断するとステップＳ７１９へ、不可であると判断するとステップＳ７２１へ、それぞれ処理を進める。
【００９８】
ステップＳ７１９では、ＣＰＵ１０１は、プログラムキー生成部１３４を適宜駆動することによって、条件２のプログラムキー（コンパクトＰＤＦ変換についてのプログラムキー）を生成し、自機のプログラムキー登録部１２１に登録して、ステップＳ７３３に処理を進める。
【００９９】
一方、図９を参照して、ステップＳ７２１では、ＣＰＵ１０１は、ジョブ履歴の解析の結果ジョブ履歴において条件３が成立しているか否かを判断する。そして、成立していると判断するとステップＳ７２３へ、成立していないと判断するとステップＳ７３１へ、それぞれ処理を進める。
【０１００】
ステップＳ７２３では、ＣＰＵ１０１は、デバイスプロファイル比較３の処理を実行する。なお、ＣＰＵ１０１は、機能比較部１３１を適宜駆動することによって、デバイスプロファイル比較３の処理を実行する。この処理について、図１４にサブルーチンを示し、その内容を説明する。
【０１０１】
図１４を参照して、デバイスプロファイル比較３の処理では、ＣＰＵ１０１は、まずステップＳ７２３１で、ホームＭＦＰ（ＭＦＰ１００Ａ）のデバイスプロファイルを抽出する。
【０１０２】
次に、ＣＰＵ１０１は、ステップＳ７２３２で、アウェイＭＦＰ（自機：ＭＦＰ１００Ｂ）のデバイスプロファイルを抽出する。
【０１０３】
次に、ＣＰＵ１０１は、ステップＳ７２３３で、機能コード５００１（プリント＆ＢＯＸ蓄積：表２および表３参照）の機能の搭載の有無を比較する。
【０１０４】
そして、ステップＳ７２３４で、ＣＰＵ１０１は、ステップＳ７２３３における比較の結果、機能コード５００１で特定される機能がホームＭＦＰに搭載されておらず、かつ、アウェイＭＦＰに搭載されているかどうかを判断する。そして、このような場合には、ＣＰＵ１０１は、ステップＳ７２３５に処理を進める。一方、いずれにも搭載されていないか、いずれにも搭載されているか、または、ホームＭＦＰには搭載されているがアウェイＭＦＰには搭載されていない場合には、ＣＰＵ１０１は、ステップＳ７２３６に処理を進める。
【０１０５】
ステップＳ７２３５では、ＣＰＵ１０１は、プリント＆ＢＯＸ蓄積のプログラムキーを生成可能であるという判定を行ない、処理をリターンさせる。
【０１０６】
一方、ステップＳ７２３６では、ＣＰＵ１０１は、プリント＆ＢＯＸ蓄積のプログラムキーの生成が不可である判定を行なって、処理をリターンさせる。
【０１０７】
再度図８を参照して、ステップＳ７２３でのデバイスプロファイル比較３処理の後、ＣＰＵ１０１は、ステップＳ７２５で、デバイスプロファイル比較３処理においてプログラムキーの生成が可能であるか不可であるかを判断し、可能であると判断するとステップＳ７２７へ、不可であると判断するとステップＳ７３０へ、それぞれ処理を進める。
【０１０８】
ステップＳ７２７では、ＣＰＵ１０１は、プログラムキー生成部１３４を適宜駆動することによって、条件３のプログラムキー（プリント＆ＢＯＸ蓄積についてのプログラムキー）を生成し、自機のプログラムキー登録部１２１に登録して、ステップＳ７２９に処理を進める。
【０１０９】
ステップＳ７２９では、ＰＣ２００が、（ＭＦＰの）ドライバを介してアクセスしてきたかどうかを判断する。そして、アクセスがあったと判断すると、ステップＳ７３３に処理を進める。
【０１１０】
これは、ステップＳ７２７で生成・登録されるプログラムキーがＰＣ２００からのプリントを行なうときにユーザにとって便利なプログラムキーであるので、ＰＣ２００からプリントを行なう場合に使用されるプリントドライバ画面上で表示されるようにするためである。
【０１１１】
該プログラムキーは、プリントドライバからのアクセス（ＰＣ２００でプリントドライバ画面を開いたときにその信号をアウェイＭＦＰに送信する）があった場合に、アウェイＭＦＰから当該ＰＣ２００に送信することでＰＣ２００上のドライバ画面上に表示することができる。
【０１１２】
このような双方向通信機能自体については、周知の技術であるので、詳細な説明は省略する。
【０１１３】
一方、ステップＳ７３０では、ＣＰＵ１０１は、今回プログラム生成処理が実行されてから生成および登録されたプログラムキーがあったか否かを判断する。そして、あったと判断するとステップＳ７３３へ処理を進める。一方、無いと判断すると、ステップＳ７３１へ処理を進める。
【０１１４】
ステップＳ７３１では、ＣＰＵ１０１は、操作パネル１１１に通常の画面表示をさせて、処理をリターンさせる。なお、操作パネル１１１が通常の画面表示を行なう状態を図１５に示す。
【０１１５】
図１５を参照して、操作パネル１１１の表示パネル５０８では、ＭＦＰにおける基本的な画面表示が行なわれている。具体的には、ＭＦＰは、基本的にコピー動作を実行できる状態とされ、そして、基本的な画面表示とは、コピーに関する設定（用紙サイズ、原稿および出力する用紙のコピーに関与する面（片面／両面）の設定、コピー倍率、ソート仕上げ等）を表示する画面である。
【０１１６】
図８を参照して、ステップＳ７３３では、ステップＳ７１１，７１９，７２７で生成したプログラムキーを操作パネル１１１の表示パネル５０８に表示させて、処理をリターンさせる。なお、表示パネル５０８において、生成されたプログラムキーを表示する操作パネル１１１を図１６に示す。
【０１１７】
図１６を参照して、操作パネル１１１の表示パネル５０８には、プログラムキーを表示するプログラムキー表示部５１１と、プログラムキー表示部５１１に対応する設定内容を表示する設定内容表示部５１２が表示されている。なお、プログラムキー表示欄５１１には、「プログラム１」、「コンパクトＰＤＦ」、「プログラム３」等の複数のプログラムキーが表示されており、さらに、その中の１つキーは、選択された状態で（外枠を付された状態で）表示されている。そして、設定内容表示部５１２では、プログラムキー表示欄５１１に表示されたプログラムキーの中で、選択された状態にあるものに対応する設定内容が、つまり、１つのプログラムキーに対応する設定内容が、表示されている。
【０１１８】
図１６では、プログラムキーの一例として、ステップＳ７１９で生成される、条件２の成立に基づいた、「コンパクトＰＤＦ」という名称のプログラムキーが表示されている。このプログラムキーに基づいた設定内容としては、その一例として、図１６の設定内容表示部５１２に示されるように、スキャンｔｏＦＴＰ（File Transfer Protocol）の機能に関するものを挙げることができる。図１６では、スキャンｔｏＦＴＰ（Scan to FTP）についての設定内容として、スキャンの際の解像度が６００ｄｐｉであり、原稿サイズがＡ４であり、そして、ＦＴＰ送信の際の圧縮フォーマットがコンパクトＰＤＦと設定されている。ＦＴＰ送信の際の圧縮フォーマットが「コンパクトＰＤＦ」と設定されていることから、上記した「コンパクトＰＤＦ」という名称のプログラムキーは、コンパクトＰＤＦ変換の機能を利用するプログラムキーである。なお、このような設定内容は、ホームＭＦＰでの設定内容を反映したものであり、また、アウェイＭＦＰのパフォーマンスに合わせてカスタマイズされたものである。カスタマイズの例としては、ホームＭＦＰにおいてスキャンの際の解像度が２００ｄｐｉと設定されていても、アウェイＭＦＰにおいて６００ｄｐｉの解像度でのスキャンが可能な場合には、図１６に示されるように、その解像度（６００ｄｐｉ）が設定される。
【０１１９】
条件２が成立する場合とは、ログインユーザがホームＭＦＰにおいてＰＤＦフォーマットを利用していた場合であって、ホームＭＦＰがコンパクトＰＤＦ変換の機能を持たず、かつ、アウェイＭＦＰがコンパクトＰＤＦ変換の機能を持つ場合である。そして、このような場合、ログインユーザがアウェイＭＦＰを利用する際には、コンパクトＰＤＦ変換という機能を利用するプログラムキーが、アウェイＭＦＰにおいて自動的に生成され、表示される。
【０１２０】
このプログラムキーを利用することにより、ユーザは、ＭＦＰでスキャンを行なうことによって生成したファイルをＦＴＰ送信する際に、比較的高い解像度でスキャンを行なったとしても、コンパクトＰＤＦで、通常のＰＤＦよりもファイルサイズを小さくして、ファイルを送信できる。
【０１２１】
つまり、このプログラムキーが生成されることにより、アウェイＭＦＰにログインしたユーザは、ホームＭＦＰでは搭載されていなかったがアウェイＭＦＰには搭載されている機能であって、当該ユーザが利用したことのある機能をより便利に利用できる機能が、ユーザに対して積極的に提示されることになる。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２３】
【図１】本発明の画像処理装置の一実施の形態であるＭＦＰを含む画像処理システムの構成を示す図である。
【図２】図１のサーバのハードウェア構成を示すブロック図である。
【図３】（Ａ）は、図１のＭＦＰのハードウェア構成を示す図であり、（Ｂ）は、（Ａ）の操作制御部の構成を詳細に示す図である。
【図４】図１のＭＦＰのＣＰＵのメインルーチンのフローチャートである。
【図５】（Ａ）は、初期設定が行なわれた状態の操作パネルを示す図であり、（Ｂ）は、認証キーが操作されたときの操作パネルを示す図である。
【図６】図４のユーザ認証処理のサブルーチンのフローチャートである。
【図７】図４のホームＭＦＰ通信処理のサブルーチンのフローチャートである。
【図８】図４のプログラム生成処理のサブルーチンのフローチャートである。
【図９】図４のプログラム生成処理のサブルーチンのフローチャートである。
【図１０】図８のホームＭＦＰのジョブ履歴の解析処理のサブルーチンのフローチャートである。
【図１１】図８のホームＭＦＰのジョブ履歴の解析処理のサブルーチンのフローチャートである。
【図１２】図８のデバイスプロファイル比較１処理のサブルーチンのフローチャートである。
【図１３】図８のデバイスプロファイル比較２処理のサブルーチンのフローチャートである。
【図１４】図８のデバイスプロファイル比較３処理のサブルーチンのフローチャートである。
【図１５】図３の操作パネルが備える表示パネルの表示の一例を示す図である。
【図１６】図３の操作パネルが備える表示パネルの表示の他の例を示す図である。
【符号の説明】
【０１２４】
１００Ａ，１００Ｂ  ＭＦＰ、１０１，２０１  ＣＰＵ、１０３，２０３  ＲＡＭ、１０５，２０５  ＲＯＭ、１０７  記憶部、１０９，２１７  メディアドライブ、１１１  操作パネル、１１３  スキャナ、１１５  プリンタ、１１７  通信部、１２１  プログラムキー登録部、１２３  ジョブ履歴記憶部、１２５  デバイスプロファイル記憶部、１３０  操作制御部、１３１  機能比較部、１３２  ジョブ履歴解析部、１３３  プログラムキー解析部、１３４  プログラムキー生成部、２１３  ネットワークＩ／Ｆ、２１５  ユーザ認証部、３００  ＰＣ、５０８  表示パネル、５１１  プログラムキー表示部、５１２  設定内容表示部。
【図１】
2006352205.tif 000006
【図２】
2006352205.tif 000007
【図３】
2006352205.tif 000008
【図４】
2006352205.tif 000009
【図５】
2006352205.tif 000010
【図６】
2006352205.tif 000011
【図７】
2006352205.tif 000012
【図８】
2006352205.tif 000013
【図９】
2006352205.tif 000014
【図１０】
2006352205.tif 000015
【図１１】
2006352205.tif 000016
【図１２】
2006352205.tif 000017
【図１３】
2006352205.tif 000018
【図１４】
2006352205.tif 000019
【図１５】
2006352205.tif 000020
【図１６】
2006352205.tif 000021